(57)【要約】【課題】  記録済の動画から“音声付き”の静止画を切り出せるようにして、さらなる利便性の向上を図る。【解決手段】  静止画を撮影してその静止画データを記録保存できるとともに、音声を録音しながら動画を撮影してその音声付き動画データを記録保存できるデジタルカメラにおいて、前記音声付き動画データの任意のシーンを静止画として切り出す静止画切り出し手段（Ｓ３８ｂ）と、前記静止画切り出しの対象となった動画データから所定時間長または指定された時間長の音声を切り出す音声切り出し手段（Ｓ３８ｅ）と、前記静止画切り出し手段によって切り出された静止画と前記音声切り出し手段によって切り出された音声とを一緒にして音声付き静止画データを生成する音声付き静止画データ生成手段（Ｓ３８ｆ）とを備える。【選択図】  図９
2006295575.tif 000002
【特許請求の範囲】
【請求項１】
静止画を撮影してその静止画データを記録保存できるとともに、音声を録音しながら動画を撮影してその音声付き動画データを記録保存できるデジタルカメラにおいて、
前記音声付き動画データの任意のシーンを静止画として切り出す静止画切り出し手段と、
前記静止画切り出しの対象となった動画データから所定時間長または指定された時間長の音声を切り出す音声切り出し手段と、
前記静止画切り出し手段によって切り出された静止画と前記音声切り出し手段によって切り出された音声とを一緒にして音声付き静止画データを生成する音声付き静止画データ生成手段と
を備えたことを特徴とするデジタルカメラ。
【請求項２】
静止画を撮影してその静止画データを記録保存できるとともに、音声を録音しながら動画を撮影してその音声付き動画データを記録保存できるデジタルカメラにおいて、
前記音声付き動画データの任意のシーンを静止画として切り出す静止画切り出し手段と、
前記静止画切り出しの対象となった動画データの所定時間長または指定された時間長の音声を切り出すための情報を生成する音声切り出し情報生成手段と、
前記静止画切り出し手段によって切り出された静止画と前記音声切り出し情報生成手段によって生成された情報とを一緒にして音声切り出し情報付き静止画データを生成する音声切り出し情報付き静止画データ生成手段と
を備えたことを特徴とするデジタルカメラ。
【請求項３】
前記音声の切り出し時間長を指定するための時間長指定手段を備えたことを特徴とする請求項１または請求項２いずれかに記載のデジタルカメラ。
【請求項４】
前記音声付き静止画データまたは前記音声切り出し情報付き静止画データを再生する再生手段を備え、該再生手段は、前記音声付き静止画データまたは前記音声切り出し情報付き静止画データの静止画を可視化して再生するとともに、前記音声付き静止画データの音声を可聴化して再生し、または、前記音声切り出し情報付き静止画データの情報に示された音声を可聴化して再生することを特徴とする請求項１または請求項２いずれかに記載のデジタルカメラ。
【請求項５】
前記再生手段は、所定値を越える音声レベルを持つ音声のみを再生することを特徴とする請求項４記載のデジタルカメラ。
【請求項６】
前記再生手段は、静止画を可視化して再生する際に、該静止画に付属する音声データが存在する場合、その旨を示す所定のマークを表示することを特徴とする請求項４記載のデジタルカメラ。
【請求項７】
前記再生手段は、静止画を可視化して再生する際に、該静止画に付属する音声データの長さ及び再生位置に関する情報を模式化して表示する音声バーを含むことを特徴とする請求項４記載のデジタルカメラ。
【発明の詳細な説明】
【技術分野】
【０００１】
本発明は、デジタルカメラに関し、詳しくは、静止画だけでなく音声付き動画も記録できるデジタルカメラの改良に関する。
【背景技術】
【０００２】
撮った写真をその場で見ることができるデジタルカメラの大ヒット作が出現（１９９５年）してから１０年を経過した現在、デジタルカメラは、単なる静止画の撮影記録マシンに留まらず、あたかもビデオカメラのように使用できる音声付きの動画撮影記録マシンにまで進化した。
【０００３】
こうした進化型デジタルカメラの多くは、当初、静止画の撮影記録モードと音声付き動画の撮影記録モードとを択一的に選択して使用する単純な兼用マシンに過ぎなかったが、鋭意努力の末、使い勝手や利便性の向上を意図して様々な改良が行われてきた。そのような改良の一つに、たとえば、動画用の音声録音／再生機能を活用し、静止画撮影時に短い音声コメントを録音できるようにしたものが知られている（非特許文献１参照）。また、記録済の音声付き動画から静止画を切り出せるようにしたものも知られている（非特許文献２参照）。なお、一般に“切り出し”とは、対象物の一部を取り出して移動することをいうが、本明細書では、対象物の構造に手を加えることなく、複製物を作ることをいう。      
【０００４】
【非特許文献１】“世界最薄のカードサイズ液晶デジタルカメラ”、［ｏｎｌｉｎｅ］、2002年5月13日、カシオ計算機株式会社、［平成17年3月23日検索］、インターネット＜ＵＲＬ：http://www.casio.co.jp/release/2002/exilim_jp.html＞
【非特許文献２】“エクシリム ズーム／ムービー撮影機能”、［ｏｎｌｉｎｅ］、カシオ計算機株式会社、［平成17年3月23日検索］、インターネット＜ＵＲＬ：http://www.exilim.jp/ex_z750/function4.html＞
【発明の開示】
【発明が解決しようとする課題】
【０００５】
しかしながら、上記の改良例は、静止画撮影時に任意の情報を音声コメントで残すことができ、事後の静止画再生時に同時に音声で確認することができる点、及び、記録済の動画から静止画を切り出せる点で、いずれも一応の利便性向上が認められるものの、静止画と音声付き動画の二つの記録データを有機的に結合させて新たな機能を生み出すという斬新なレベルには至っておらず、同種の進化型デジタルカメラとの差別化を図るためにも、未だ改善すべき余地が残っている。
【０００６】
そこで、本発明の目的は、記録済の動画から“音声付き”の静止画を切り出せるようにして、さらなる利便性の向上を図ったデジタルカメラを提供することにある。
【課題を解決するための手段】
【０００７】
請求項１記載の発明は、静止画を撮影してその静止画データを記録保存できるとともに、音声を録音しながら動画を撮影してその音声付き動画データを記録保存できるデジタルカメラにおいて、前記音声付き動画データの任意のシーンを静止画として切り出す静止画切り出し手段と、前記静止画切り出しの対象となった動画データから所定時間長または指定された時間長の音声を切り出す音声切り出し手段と、前記静止画切り出し手段によって切り出された静止画と前記音声切り出し手段によって切り出された音声とを一緒にして音声付き静止画データを生成する音声付き静止画データ生成手段とを備えたことを特徴とするデジタルカメラである。
請求項２記載の発明は、静止画を撮影してその静止画データを記録保存できるとともに、音声を録音しながら動画を撮影してその音声付き動画データを記録保存できるデジタルカメラにおいて、前記音声付き動画データの任意のシーンを静止画として切り出す静止画切り出し手段と、前記静止画切り出しの対象となった動画データの所定時間長または指定された時間長の音声を切り出すための情報を生成する音声切り出し情報生成手段と、前記静止画切り出し手段によって切り出された静止画と前記音声切り出し情報生成手段によって生成された情報とを一緒にして音声切り出し情報付き静止画データを生成する音声切り出し情報付き静止画データ生成手段とを備えたことを特徴とするデジタルカメラである。
請求項３記載の発明は、前記音声の切り出し時間長を指定するための時間長指定手段を備えたことを特徴とする請求項１または請求項２いずれかに記載のデジタルカメラである。
請求項４記載の発明は、前記音声付き静止画データまたは前記音声切り出し情報付き静止画データを再生する再生手段を備え、該再生手段は、前記音声付き静止画データまたは前記音声切り出し情報付き静止画データの静止画を可視化して再生するとともに、前記音声付き静止画データの音声を可聴化して再生し、または、前記音声切り出し情報付き静止画データの情報に示された音声を可聴化して再生することを特徴とする請求項１または請求項２いずれかに記載のデジタルカメラである。
請求項５記載の発明は、前記再生手段は、所定値を越える音声レベルを持つ音声のみを再生することを特徴とする請求項４記載のデジタルカメラである。
請求項６記載の発明は、前記再生手段は、静止画を可視化して再生する際に、該静止画に付属する音声データが存在する場合、その旨を示す所定のマークを表示することを特徴とする請求項４記載のデジタルカメラである。
請求項７記載の発明は、前記再生手段は、静止画を可視化して再生する際に、該静止画に付属する音声データの長さ及び再生位置に関する情報を模式化して表示する音声バーを含むことを特徴とする請求項４記載のデジタルカメラである。
【発明の効果】
【０００８】
請求項１記載の発明によれば、記録済の音声付き動画データの任意のシーンを切り出して静止画データを生成する際に、その動画の音声データの一部も切り出され、それらの切り出された静止画データと音声データとにより、音声付き静止画データが生成される。したがって、動画の音声の一部を含む音声付き静止画データという、静止画と音声付き動画の二つの記録データを有機的に結合させた新たなデータを生み出すことができ、さらなる利便性の向上を図ったデジタルカメラを提供することができる。
請求項２記載の発明によれば、前記音声付き動画データの任意のシーンを静止画として切り出す際に、その静止画切り出しの対象となった動画データの所定時間長または指定された時間長の音声を切り出すための情報を生成し、それらの静止画データと情報とにより、音声切り出し情報付き静止画データが生成される。ここで、上記の情報は、静止画切り出しの対象となった動画データの所定時間長または指定された時間長の音声を切り出すための情報であり、具体的には、その音声データの格納場所や再生時間の長さなどを示す情報である。したがって、この音声切り出し情報付き静止画データは、音声データの実体を含まないので、音声切り出し情報付き静止画データのサイズを削減でき、メモリ等の記憶容量圧迫を招かない。
請求項３記載の発明によれば、時間長指定手段を用いて任意の時間を指定できる。このため、元の動画データに付属する音声データの所望の部分を切り出すことができ、音声切り出しの自在性が高まる。
請求項４記載の発明によれば、静止画の再生と同時に音声も再生できる。このため、静止画のみの再生に比べて、視聴時のイメージを高めることができる。
請求項５記載の発明によれば、無音部分の音声を再生しないので、音声聞き取りの効率化を図ることができる。
請求項６記載の発明によれば、マークを選択したときにのみ音声を再生するようにすれば、たとえば、会議中のような場面で突然音が鳴り出して困ることがない。
請求項７記載の発明によれば、音声の再生部分が元の動画データのどの部分に該当するのかを一目で把握することができる。また、その再生位置などを調節できるようにしておけば、音声を再生しながら再生位置や再生時間などを自在に加減することができる。
【発明を実施するための最良の形態】
【０００９】
以下、本発明の実施形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１０】
まず、デジタルカメラ１の構成を説明する。
図１は、デジタルカメラ１の正面図及び背面図である。この図において、特に限定しないが、デジタルカメラ１は、箱形のカメラボディ２の前面に沈胴式のレンズ鏡筒３、ストロボ発光窓４、ファインダ前面窓５及び録音用の集音穴６などを配置すると共に、カメラボディ２の上面にシャッターボタン７及び電源スイッチ８などを配置し、さらに、カメラボディ２の背面に音声用の拡声穴９、ファインダ後面窓１０、モード切り換えスイッチ１１、ズーム操作スイッチ１２、ＭＥＮＵボタン１３、カーソルキー１４、ＳＥＴボタン１５、ＤＩＳＰボタン１６及び液晶モニター１７などを配置し、加えて、カメラボディ２の底面にカバー１８を設け、このカバー１８を開くことによってカメラボディ２の内部に実装されたバッテリ１９やカード型メモリまたはカード型ハードディスクなどの大容量の外部メモリ２０を着脱できるようになっている。
【００１１】
図２は、デジタルカメラ１の内部ブロック図である。この図において、デジタルカメラ１は、機能毎に、音声入力系２１、撮像系２２、制御系２３、音声出力系２４、画像記憶系２５、表示系２６及び操作系２７などに分類することができる。
【００１２】
これらの系毎に説明すると、音声入力系２１は、ボディ前面の収音穴６の後ろに配置されたマイク２８と、このマイク２８で拾った音を増幅するアンプ２９と、アンプ２９で増幅されたアナログの音声信号をデジタル信号に変換するＡ／Ｄ変換部３０と、デジタル変換された音声信号を一時的に記憶する音声メモリ３１とを備える。
【００１３】
撮像系２２は、ボディ前面のレンズ鏡筒３に収められたズーム機能及びオートフォーカス機能付の撮影レンズ群３２と、この撮影レンズ群３２を通過した被写体像を二次元の画像信号に変換するＣＣＤ（Charge Coupled Devices）やＣＭＯＳ（Complementary Metal Oxide Semiconductor）などからなる電子撮像部３３と、この電子撮像部３３からの画像信号に対して所要の画像処理を施す映像処理部３４と、画像処理後の画像信号を一時的に記臆する画像メモリ３５とを備えるとともに、レンズ鏡筒３の不図示のフォーカス機構を駆動するフォーカス駆動部３６と、同ズーム機構を駆動するズーム駆動部３７と、ボディ前面のストロボ発光窓４に設けられたストロボ３８と、このストロボ３８を駆動するストロボ駆動部３９と、これらの各部（電子撮像部３３、映像処理部３４、フォーカス駆動部３６、ズーム駆動部３７、ストロボ駆動部３９）を制御するための撮影制御部４０とを備える。
【００１４】
制御系２３（静止画切り出し手段、音声切り出し手段、音声付き静止画データ生成手段、音声切り出し情報生成手段、音声切り出し情報付き静止画データ生成手段）は、上記の各系を制御してデジタルカメラ１の動作を集中的にコントロールするワンチップマイクロプロセッサを用いた制御回路４１と、この制御回路４１の動作に必要な各種プログラムを不揮発的に記憶するプログラムメモリ４２と、ユーザ固有のデータ、たとえば、後述のＭＥＮＵ処理で任意に設定される「動画切り出し設定」の設定データ等を不揮発的且つ書き換え可能に記憶するユーザデータメモリ４３とを備える。
【００１５】
音声出力系２４は、制御回路４１から適宜に出力される音声データをアナログの音声信号に変換するＤ／Ａ変換部４４と、この音声信号を増幅するアンプ４５と、増幅された音声信号を拡声するためにボディ背面の拡声穴９の近くに設けられたスピーカ４６とを備える。なお、“音声”とは、肉声に限らず、その他の環境音等であってもよく、または、肉声と環境音等との混合音であってもよい。
【００１６】
画像記憶系２５は、画像データ（静止画データ及び動画データ）や音声データの汎用的な符号化方式（たとえば、静止画データにあってはＥｘｉｆ−ＪＰＥＧ又はその互換形式、動画や音声データにあってはＭＰＥＧ又はその互換形式など）でデータの圧縮（符号化）と伸張（復号）を行う圧縮符号化・伸張復号部４７と、符号化された画像データや音声データを書き換え可能に記憶する外部メモリ２０とを備える。
【００１７】
表示系２６は、制御回路４１から適宜に出力される表示データを所定の表示フォーマット（液晶モニター１７の解像度に適合した表示フォーマット）に変換する表示制御部４８と、表示制御部４８の出力信号を表示するためにボディ背面に設けられた液晶モニター１７とを備える。液晶モニター１７は“液晶”に限らず、デジタルカメラ１のような携帯電子機器に搭載可能な平面表示デバイスであればよく、たとえば、液晶モニター１７を有機ＥＬディスプレイと読み替えてもよい。
【００１８】
操作系２７は、ボディ上面のシャッターボタン７や背面のモード切り換えスイッチ１１、ズーム操作スイッチ１２、ＭＥＮＵボタン１３、カーソルキー１４、ＳＥＴボタン１５及びＤＩＳＰボタン１６などを含む操作入力部４９と、この操作入力部４９からの操作信号を制御回路４１に入力するための入力回路５０とを備える。
【００１９】
図３は、デジタルカメラ１のメモリマップ図である。図示の縦長矩形の長辺は制御回路４１からアクセスできるアドレスの範囲を表している。たとえば、一番上を最下位アドレス（電源投入時のスタートアドレス）、一番下を最上位アドレスとすると、最下位アドレスを含む所定の範囲がプログラムメモリ４２に割り当てられており、それ以外の重複しない領域がユーザデータメモリ４３と外部メモリ２０にそれぞれ割り当てられている。
【００２０】
デジタルカメラ１の電源投入時、制御回路４１は、このメモリマップの最下位アドレスにアクセスし、その最下位アドレスに書き込まれているアドレスから制御プログラムを開始して、デジタルカメラ１の所要の動作、すなわち、画像の撮影モードや撮影済画像の再生モードを実行したり、あるいは、必要に応じて撮影モード用の各種設定処理並びに再生モード用の各種設定処理を実行したりする。また、制御回路４１は、必要に応じてユーザデータメモリ４３の任意アドレスにアクセスし、ユーザ固有のデータ、たとえば、後述のＭＥＮＵ処理で任意に設定される「動画切り出し設定」の設定データを所定のエリア４３ａに格納したり、または、更新したり、さらには、外部メモリ２０の任意アドレスにアクセスして、撮影画像データを格納したり、または、撮影済画像データを読み出したりする。
【００２１】
ここで、外部メモリ２０には、既にいくつかの画像データが格納されているものとする。たとえば、二つの静止画データＧ１、Ｇ２、二つの音声付き動画データＧ３、Ｇ４、及び、二つの切り出し静止画データＧ５、Ｇ６である。切り出し静止画データＧ５、Ｇ６は、任意の音声付き動画データＧ３、Ｇ４から切り出された静止画データであり、後述するように、その切り出し静止画データＧ５、Ｇ６の再生時に音声も同時に再生することが可能となっているものである。
【００２２】
次に、以上の構成を有するデジタルカメラ１の動作を説明する。
図４は、デジタルカメラ１の全体的な動作フローを示す図である。この図において、デジタルカメラ１の電源スイッチ８をオンにすると、モード切り換えスイッチ１１の現在のスイッチ位置を判定し（ステップＳ１）、そのスイッチ位置に応じた処理（撮影モード処理：ステップＳ２、再生モード処理：ステップＳ３）を実行するというループを繰り返す。
【００２３】
図５は、撮影モード処理（図４のステップＳ２）のフローチャートを示す図である。この図において、撮影モード処理を開始すると、まず、ＭＥＮＵボタン１３の押し下げ操作の有無を判定する（ステップＳ１１）。そして、ＭＥＮＵボタン１３が押し下げ操作されていた場合には、撮影モード用メニュー処理（たとえば、撮影画像のサイズや画質などを選択するためのメニュー画面の表示等の処理）を実行（ステップＳ１２）した後、図４のステップＳ１に戻り、一方、ＭＥＮＵボタン１３が押し下げ操作されていなければ、以下に説明する撮影処理を実行する。
【００２４】
この撮影処理では、まず、測光処理や測距処理を実行する（ステップＳ１３）。そして、その測光値や測距値に従ってズーム処理やオートフォーカス処理を行い（ステップＳ１４）、撮像系２２を駆動して毎秒数十フレームの動画像を撮影し、その撮影画像を構図調整用のスルー画像として液晶モニター１７に表示する（ステップＳ１５）。
【００２５】
次いで、現在の撮影モードが動画撮影であるか否か、すなわち、動画撮影か静止画撮影かを判定する（ステップＳ１６）。なお、動画撮影と静止画撮影の切り替えは、たとえば、カーソルキー１４の左右端の押し下げ操作によって行うことができる。または、ステップＳ１２の撮影モード用メニュー処理を実行して切り替えることもできる。
【００２６】
ステップＳ１６の判定結果が“ＮＯ”の場合、すなわち、現在の撮影モードが静止画撮影である場合は、シャッターボタン７の押し下げ操作の有無を判定（ステップＳ１７）し、シャッターボタン７が押し下げ操作されていなければ、図４のステップＳ１に戻り、シャッターボタン７が押し下げ操作されていれば、測光処理を実行（ステップＳ１８）した後、その測光値に従って撮像系２２を駆動して静止画撮影を実行し（ステップＳ１９）、その静止画データを所定の形式で圧縮符号化して外部メモリ２０の空きエリアに格納する（ステップＳ２０）。
【００２７】
一方、ステップＳ１６の判定結果が“ＹＥＳ”の場合、すなわち、現在の撮影モードが動画撮影である場合は、シャッターボタン７の押し下げ操作の有無を判定（ステップＳ２１）し、シャッターボタン７が押し下げ操作されていなければ、図４のステップＳ１に戻り、シャッターボタン７が押し下げ操作されていれば、測光処理を実行（ステップＳ２２）した後、その測光値に従って撮像系２２を駆動して毎秒数十フレームの動画撮影を実行するとともに、その撮影の間、音声入力系２１を駆動して音声の録音を実行し（ステップＳ２３）、その音声データと動画データとを所定の形式で圧縮符号化して外部メモリ２０の空きエリアに格納する（ステップＳ２４）。
【００２８】
そして、いずれの場合も、撮影レビュー表示ＯＮであるか否かを判定し（ステップＳ２５）、撮影レビュー表示ＯＮでなければ、図４のステップＳ１に戻り、撮影レビュー表示ＯＮであれば、撮影画像を液晶モニター１７にプレビュー表示（ステップＳ２６）した後、図４のステップＳ１に戻る。なお、撮影レビュー表示のＯＮ／ＯＦＦは、ＤＩＳＰボタン１６によって切り替えることができる。
【００２９】
図６は、再生モード処理（図４のステップＳ３）のフローチャートを示す図である。この図において、再生モード処理を開始すると、まず、ＭＥＮＵボタン１３の押し下げ操作の有無を判定する（ステップＳ３１）。そして、ＭＥＮＵボタン１３が押し下げ操作されていた場合には、後述の再生モード用メニュー処理を実行（ステップＳ３２）した後、図４のステップＳ１に戻り、ＭＥＮＵボタン１３が押し下げ操作されていなければ、以下に説明する再生処理を実行する。
【００３０】
この再生処理では、まず、撮影済の画像データが外部メモリ２０に納されているか否かを判定する（ステップＳ３３）。そして、画像データが格納されていなければ、所要のメッセージ（たとえば、“画像がありません”等）を液晶モニター１７に表示（ステップＳ３４）してから、図４のステップＳ１に戻り、画像データが格納されていれば、最新の画像データを外部メモリ２０から読み出し（ステップＳ３５）、その画像データを伸張処理（復号処理）して液晶モニター１７に再生表示する（ステップＳ３６）。
【００３１】
次に、再生中の画像が動画であるか否かを判定し（ステップＳ３７）、動画であれば、後述の「音声付きまたは音声なし静止画データ生成処理」を実行する（ステップＳ３８：再生手段）。一方、動画でなければ、すなわち、静止画再生であれば、その静止画に音声が付いているか否かを判定（ステップＳ３９）して音声が付いていれば音声を再生する（ステップＳ４０：再生手段）。
【００３２】
そして、いずれの場合も、再生画像の変更操作（たとえば、カーソルキー１４の操作）が行われたか否かを判定し（ステップＳ４１）、操作が行わなければ、図４のステップＳ１に戻り、操作が行われた場合は、指定された画像データを外部メモリ２０から読み出し（ステップＳ４２）た後、再びステップＳ３６以降を繰り返す。
【００３３】
図７は、再生モード用メニュー処理（図６のステップＳ３２）のフローチャートを示す図である。このフローチャートでは、まず、液晶モニター１７に再生モード用メニュー画面を表示する（ステップＳ３２ａ）。次いで、ユーザによるメニュー項目の選択操作に対応した分岐判断を行い（ステップＳ３２ｂ）、いずれのメニュー項目も選択されていなければ、ＭＥＮＵボタン１３の再押し下げを判定し（ステップＳ３２ｃ）、押し下げられていなければ、ステップＳ３２ｂの分岐判断を繰り返す一方、ＭＥＮＵボタン１３が押し下げられた場合には、再生モード用メニュー画面を消した後（ステップＳ３２ｄ）、フローチャートを終了する。
【００３４】
ステップＳ３２ｂの分岐判断では、再生モードにおける様々な設定メニュー、たとえば、順次に画像を自動再生する「スライドショー」、月間カレンダーの日付枠にその日に撮影された画像を表示する「カレンダー表示」などに加えて、本実施形態特有の「動画切り出し設定」のいずれかの分岐判断を行い、その判断結果に対応した処理を実行する。たとえば、「動画切り出し設定」を判断した場合には、ユーザの設定値の変更を判定し（ステップＳ３２ｅ）、設定が変更された場合に、ユーザデータメモリ４３の所定のエリア４３ａ（図３参照）にその変更内容を書き込む（ステップＳ３２ｆ）という処理を実行する。
【００３５】
図８は、再生モード用メニュー画面５１を示す図である。液晶モニター１７に表示された再生モード用メニュー画面５１には、たとえば、スライドショー５２やカレンダー表示５３などに加えて、動画切り出し設定５４のメニュー項目が並んでいる。ユーザによっていずれかのメニュー項目が選択されると、上記のフローチャートの分岐判断（図７のステップＳ３２ｂ）が成立し、それらの選択メニュー項目に対応した処理を実行する。
【００３６】
たとえば、動画切り出し設定５４が選択されると、動画切り出し設定サブ画面５５を表示し、その動画切り出し設定サブ画面５５の二つのリストボックスコントロール５６、５７（時間長指定手段）のいずれか一方または双方の値が変更されたときに、ユーザデータメモリ４３の所定のエリア４３ａ（図３参照）にその変更後の値を書き込む。
【００３７】
ここで、二つのリストボックスコントロール５６、５７は、任意の音声付き動画データから静止画データを切り出す際に、同時に切り出される音声の切り出し時間を指定するためのものである。それぞれのリストボックスコントロール５６、５７のタイトルに表示されている“前”と“後”は、静止画データの切り出し点（動画データのタイムコードまたはフレームナンバー）を基準にして、それよりも前及び後であることを示す。
【００３８】
たとえば、前５秒、後５秒とすれば、静止画データの切り出し点を基準にして、その前後５秒間ずつ、トータル１０秒間の音声データが静止画データと一緒に切り出される。なお、二つのリストボックスコントロール５６、５７の値を共に０秒にすると、音声データは切り出されない。つまり、０秒を指定することにより、音声の切り出しをオフにすることができ、従来と同じにすることができる。
【００３９】
図９は、音声付きまたは音声なし静止画データ生成処理（図６のステップＳ３８）のフローチャートを示す図である。このフローチャートでは、まず、静止画切り出し操作が行われたか否かを判定する（ステップＳ３８ａ）。静止画切り出し操作とは、液晶モニター１７に再生表示中の動画を見ながら、所望のシーンが表示されたときに、所定のボタンを押す操作のことをいう。所定のボタンは、たとえば、ＳＥＴボタン１３とすることができる。
【００４０】
静止画切り出し操作が行われなかった場合は、図６の処理に戻り、静止画切り出し操作が行われた場合は以下の処理を実行する。すなわち、現在のシーンに対応するフレーム画像を再生中の画像データから切り出し（ステップＳ３８ｂ：静止画切り出し手段）、次いで、音声切り出し時間の設定があるか否かを判定する（ステップＳ３８ｃ）。“音声切り出し時間の設定があるか否か”とは、前記の二つのリストボックスコントロール５６、５７（図８参照）の設定値の少なくとも一方が０秒を越えているか否かのことをいう。
【００４１】
二つのリストボックスコントロール５６、５７の設定値が共に０秒である場合は、ステップＳ３８ｂで切り出した静止画を「音声なし静止画データ」として外部メモリ２０の空きエリアに格納し（ステップＳ３８ｄ）、二つのリストボックスコントロール５６、５７の設定値が共に０秒でない場合、つまり、少なくともいずれか一方の設定値が０秒を越えている場合は、その設定時間に相当する音声データを再生中の動画データから切り出し（ステップＳ３８ｅ：音声切り出し手段）、ステップＳ３８ｂで切り出した静止画と一緒に「音声付き静止画データ」として外部メモリ２０の空きエリアに格納する（ステップＳ３８ｆ：音声付き静止画データ生成手段）。
【００４２】
図１０は、「音声なし静止画データ」と「音声付き静止画データ」の生成概念図である。この図において、図中上段に示す多数の升目からなる横長帯状図形は、液晶モニター１７で再生中の動画データ（便宜的に図３のＧ３とする。）を模式化したものであり、各々の升目に付した記号Ｆｉ、Ｆｉ＋１、Ｆｉ＋２〜Ｆｉ＋ｎは便宜的なフレームナンバーである。
【００４３】
今、任意の時点、たとえば、Ｆｉ＋２の開始時点で静止画切り出し操作が行われたと仮定する。この場合、音声切り出し時間の設定がなければ、そのフレーム（Ｆｉ＋２）の画像のみの音声無し静止画データＧ６が生成される。また、音声切り出し時間の設定があれば、そのフレーム（Ｆｉ＋２）の静止画と、そのフレーム（Ｆｉ＋２）の前後所定時間（Ｔａ＋Ｔｂ）の音声データとを含む音声付き静止画データＧ５が生成される。時間Ｔａは一方（タイトル：前）のリストボックスコントロール５６の設定時間であり、時間Ｔｂは他方（タイトル：後）のリストボックスコントロール５７の設定時間である。
【００４４】
図１１は、切り出し静止画データの再生時の様子を示す図である。この図において、ユーザ５８がデジタルカメラ１を再生モードにして、任意の切り出し静止画データを液晶モニター１７に再生表示したとき、その切り出し静止画データが「音声なし」であれば、（ａ）に示すように、液晶モニター１７に静止画データだけが表示される。この場合、音声は出力されず、したがって、従来どおりの静止画再生となる。
【００４５】
これに対して、切り出し静止画データが「音声付き」の場合には、（ｂ）に示すように、液晶モニター１７に静止画データが表示されるとともに、デジタルカメラ１の拡声穴９から音声が出力される。音声が出力される時間の長さは、二つのリストボックスコントロール５６、５７で設定した時間である。また、出力される音声は、その切り出し静止画データの元になった音声付き動画データの音声の一部である。したがって、この例（ｂ）によれば、静止画と一緒に“音声”を再生できるので、たとえ静止画であっても、あたかも動画を再生している如きイメージの広がりを期待することができ、デジタルカメラ１の利便性を高め、商品価値を向上し、同種のデジタルカメラとの差別化を図ることができるのである。
【００４６】
なお、以上の実施形態では、音声付き動画データから切り出した静止画と音声とによって一つのデータの塊（音声付き静止画データ）を構成しているが、これに限定されない。
【００４７】
図１２は、第二の実施形態の概念図である。この図では、複数の音声付き動画データ５９〜６１と、そのうちの一つ（図では一番下の動画データ６１）から切り出された静止画データ６２とが示されており、これらのデータ５９〜６２は外部メモリ２０に格納されているものである。
【００４８】
静止画データ６２は、たとえば、Ｅｘｉｆ形式のデータであり、このＥｘｉｆ形式では、図面左端の吹き出し内に概念的に示すように、画像格納フィールド６２ａのほかに、撮影日時や撮影条件（露出、シャッタースピード等）を格納するための情報フィールド、さらには、任意用途の複数のオプションフィールド６２ｂ、６２ｃなどを有するデータ構造となっている。第二の実施形態では、このオプションフィールド６２ｂ、６２ｃを利用して、音声データの関連付けを行う。すなわち、第１のオプションフィールド６２ｂに切り出し元の音声付き動画データ６１の格納情報（フルパス情報）をセットするとともに、第２のオプションフィールド６２ｃに音声データの再生時間情報（再生開始タイムコードと再生時間長）をセットする。したがって、この第二の実施形態では、音声付き動画データ６１から切り出された静止画データ６２内に画像（静止画）の実体を保持するものの、音声の実体は保持せず、関連付け情報（フルパス情報及び再生開始タイムコードと再生時間長）だけを保持する。
【００４９】
このようにすると、静止画データ６２のサイズを小さくすることができる。また、切り出した音声データの複製物を作らないため、静止画データ６２のサイズ削減と相まって、外部メモリ２０の記憶容量の圧迫を回避することができる。
【００５０】
本発明は、以上の各実施形態に限定されず、その技術思想の範囲内で様々な変形例や発展例を包含することは勿論であり、たとえば、以下のようにしてもよい。
図１３は、第三の実施形態の概念図であり、図６の一部（ステップＳ４０）を改良したものである。この図において、ステップＳ３９で音声付きの静止画であると判定された場合、図６では直ちに音声を再生していた（ステップＳ４０）が、この第三の実施形態では、まず、音声データを読み込み（ステップＳ４０ａ）、次いで、その音声データの音声レベル（録音レベル）が所定値以上であるか否かを判定し（ステップＳ４０ｂ）、音声レベルが所定値以上である場合にのみ音声を再生する（ステップＳ４０）という処理を音声データが終了するまで継続する（ステップＳ４０ｃ）。
【００５１】
このようにすると、音声データの無音部分（音声レベルが所定値に満たない部分）を飛ばして音声を再生することができ、音声聞き取りの効率化を図ることができる。
【００５２】
図１４は、第四及び第五の実施形態の概念図である。まず、第四の実施形態では、（ａ）に示すように、音声付き静止画データを再生するときに液晶モニター１７の画面上に「音声付き」であること示す適当にデザインされたマーク６３を表示する。ユーザは、音声を聞きたいときにだけこのマーク６３を選択する。このようにすると、音声付きの静止画であることが一目で分かるし、さらに、会議中などのように音を出したくない場面でも支障無く画像を見ることができる。
【００５３】
または、第五の実施形態では、（ｂ）に示すように、音声付き静止画データを再生するときに液晶モニター１７の画面下端に音声バー６４を表示する。この音声バー６４は、元の動画データの音声の長さ（録音時間）を示す横長矩形図形６５と、その横長矩形図形６５の任意位置に表示された音声再生ボタン６６とを備えており、ユーザによって音声再生ボタン６６が選択されたときに、その音声再生ボタン６６の横方向の長さで示された範囲の音声を再生出力するとともに、その音声再生ボタン６６の両側の小ボタン６７、６８をドラッグして左右にずらすことにより、音声の再生範囲を調整できるようになっている。
【００５４】
このようにすると、第四の実施形態と同様に、会議中などのように音を出したくない場面でも支障無く画像を見ることができる他、さらに、音声の再生開始点や再生長を自由に調節できるというメリットが得られ、使い勝手の向上を図ることができる。
【図面の簡単な説明】
【００５５】
【図１】デジタルカメラ１の正面図及び背面図である。
【図２】デジタルカメラ１の内部ブロック図である。
【図３】デジタルカメラ１のメモリマップ図である。
【図４】デジタルカメラ１の全体的な動作フローを示す図である。
【図５】撮影モード処理（図４のステップＳ２）のフローチャートを示す図である。
【図６】再生モード処理（図４のステップＳ３）のフローチャートを示す図である。
【図７】再生モード用メニュー処理（図６のステップＳ３２）のフローチャートを示す図である。
【図８】再生モード用メニュー画面５１を示す図である。
【図９】音声付きまたは音声なし静止画データ生成処理（図６のステップＳ３８）のフローチャートを示す図である。
【図１０】「音声なし静止画データ」と「音声付き静止画データ」の生成概念図である。
【図１１】切り出し静止画データの再生時の様子を示す図である。
【図１２】第二の実施形態の概念図である。
【図１３】第三の実施形態の概念図である。
【図１４】第四及び第五の実施形態の概念図である。
【符号の説明】
【００５６】
Ｓ３８  ステップ（再生手段）
Ｓ３８ｂ  ステップ（静止画切り出し手段）
Ｓ３８ｅ  ステップ（音声切り出し手段）
Ｓ３８ｆ  ステップ（音声付き静止画データ生成手段）
Ｓ４０  ステップ（再生手段）
１  デジタルカメラ
２３  制御系（静止画切り出し手段、音声切り出し手段、音声付き静止画データ生成手段、音声切り出し情報生成手段、音声切り出し情報付き静止画データ生成手段）
５６  リストボックスコントロール（時間長指定手段）
５７  リストボックスコントロール（時間長指定手段）
６３  マーク
６４  音声バー
【図１】
2006295575.tif 000003
【図２】
2006295575.tif 000004
【図３】
2006295575.tif 000005
【図４】
2006295575.tif 000006
【図５】
2006295575.tif 000007
【図６】
2006295575.tif 000008
【図７】
2006295575.tif 000009
【図８】
2006295575.tif 000010
【図９】
2006295575.tif 000011
【図１０】
2006295575.tif 000012
【図１１】
2006295575.tif 000013
【図１２】
2006295575.tif 000014
【図１３】
2006295575.tif 000015
【図１４】
2006295575.tif 000016